(57)【要約】      （修正有）【課題】量子エネルギーによる治療などを行うにあたって、量子エネルギーを多様な形で伝送できるようにする。【解決手段】ＬＥＤペンライトから成るＬＥＤ光線治療器１であって、そのＬＥＤに、光子、電子、クウォーク、ニュートリノ等の量子を予め定める周期で照射して量子情報を記憶させておく。したがって、ＬＥＤが点灯すると、光３を放射し、それに量子エネルギー２２が重畳されて、被照射部位まで搬送される。これを生物が浴びると、組織が活性化し、血行を促進したり、患部の治癒効果を高めたりすることができる。光３を参照符号３１，３２，３３のように点滅させることで、さらに効果を高めることができる。こうして、光を伝送手段として用いることで、量子エネルギーを十数ｍまで届けたり、体腔内に差込んだりして、量子エネルギーを多様な形で伝搬することができる。【選択図】図１
2017023711.tif 000002
【特許請求の範囲】
【請求項１】
量子を予め定める周期で照射されることで、量子情報を記憶している半導体発光素子と、
前記半導体発光素子に通電することで発光させ、それによる放射光に、記憶されている前記量子情報に基づく量子エネルギーを重畳させ、被照射部位へ伝搬させる電源とを含むことを特徴とする半導体発光素子を用いた光源。
【請求項２】
前記予め定める周期は、２〜２０００Ｈｚ、好ましくは３〜１００Ｈｚであることを特徴とする請求項１記載の半導体発光素子を用いた光源。
【請求項３】
前記電源は、前記半導体発光素子を、３〜６Ｈｚの周期で点滅させることを特徴とする請求項１または２記載の半導体発光素子を用いた光源。
【請求項４】
前記量子の照射は、前記半導体発光素子を導電板上に搭載し、前記導電板に前記予め定める周期の負の電圧を印加することで行われることを特徴とする請求項１〜３の何れか１項に記載の半導体発光素子を用いた光源。
【請求項５】
前記半導体発光素子がＬＥＤである前記請求項１〜４の何れか１項に記載の光源から成ることを特徴とする量子ＬＥＤ光線治療器。
【請求項６】
懐中電灯形に形成されることを特徴とする請求項５記載の量子ＬＥＤ光線治療器。
【請求項７】
密閉可能な、球体、または鉛直断面が六角形のドームを備え、
前記半導体発光素子は、該半導体発光素子からの放射光および量子エネルギーを前記ドーム内へ入射するように、前記ドームに取付けられ、
前記ドームの少なくとも内面は、前記半導体発光素子からの放射光および量子エネルギーを反射する材料から成ることを特徴とする請求項５記載の量子ＬＥＤ光線治療器。
【請求項８】
光を放射する半導体発光素子に量子を予め定める周期で照射して量子情報を記憶させておき、
前記半導体発光素子に通電することで発光させ、それによる放射光に、記憶されている前記量子情報に基づく量子エネルギーを重畳させ、被照射部位へ伝搬させることを特徴とする量子エネルギーの伝送方法。
【発明の詳細な説明】
【技術分野】
【０００１】
本発明は、ＬＥＤなどとして実現される半導体発光素子を用いた光源に関し、詳しくは、それを用いて構成される新規な量子ＬＥＤ光線治療器ならびにその量子ＬＥＤ光線治療器で用いられる量子エネルギーの伝送方法に関する。
【背景技術】
【０００２】
従来から、人体にマイクロ波や電磁波などを照射して、血行の改善を図ったり、患部の治癒効果を高めたりする治療器が市販されている。しかしながら、たとえばマイクロ波治療器の場合には、マグネトロンが必要になるなど、これらの治療器は大掛かりで、また人体の内部への効果が低い（前記マイクロ波や電磁波が人体に浸透し難い）ので、本件発明者は、先に特許文献１を提案している。
【０００３】
特許文献１は、所謂鉱石ラジオのようなメカニズムで外部から受信された電磁波を、ＬＣ並列共振回路で増幅して、バイアスとする交流電源に重畳し、負の成分のみを取出して、電極などから患部へ印加する。これによって、前記電極を構成する素材原子の外殻電子軌道に変動を生じさせ、それに伴う陽子の振動によって量子波を発生させ、その量子波を患部に照射することで、前記患部の細胞を活性化している。
【０００４】
特許文献２では、前記の量子波に加えて遠赤外線を医療用シートに照射し、その医療用シートを人体に貼付けることで、同様の効果を得るようにしている。特許文献３では、量子波を食用油に照射することで、該食用油の酸化を防止している。
【０００５】
上述の特許文献１，３は、マグネトロンなどに比べては、装置が小型で、取扱い易くなるが、それでも、装置に人体などを翳していなければならない。また、特許文献２は、人体に貼るだけで所期の効果が得られるが、入浴等で剥がすと、貼り替えなければならない。
【０００６】
そこで、本件発明者は、さらに特許文献４を提案している。
【先行技術文献】
【特許文献】
【０００７】
【特許文献１】特許第５６８４４３４号公報
【特許文献２】特許第５６５７８４１号公報
【特許文献３】特許第５７２７１０４号公報
【特許文献４】特願２０１５−１３８４０９号
【発明の概要】
【発明が解決しようとする課題】
【０００８】
特許文献４は、ＳＩＭカードなどの記憶素子に量子情報を記憶させておくものである。そうすることで、前記記憶素子を装着したスマートフォンなどの電子機器が通電されると、前記量子情報のエネルギーが該電子機器の液晶画面に与えられて、前記記憶素子と液晶の微粒子（特に原子核）とが共振するようになる。これによって、前記液晶画面から量子エネルギーが放射され、その量子エネルギーを人体の患部などに照射することで、血行を促進したり、患部の治癒効果を高めたりできるようになっている。
【０００９】
したがって、この特許文献４によれば、身近な電子機器を利用した、極めて安価で、利便性の高い量子治療器を実現可能である。しかしながら、このスマートフォンなどの電子機器は、比較的人体に近い場所で（多くは密着させて）使用されることが多い。そのため、量子エネルギーを多様な形で伝送できる手法を、今般、本件発明者が発想するに至った。
【００１０】
本発明の目的は、量子エネルギーによる治療などを行うにあたって、量子エネルギーを多様な形で伝送することができる半導体発光素子を用いた光源およびそれを用いる量子ＬＥＤ光線治療器ならびに量子エネルギーの伝送方法を提供することである。
【課題を解決するための手段】
【００１１】
本発明の半導体発光素子を用いた光源は、量子を予め定める周期で照射されることで、量子情報を記憶している半導体発光素子と、前記半導体発光素子に通電することで発光させ、それによる放射光に、記憶されている前記量子情報に基づく量子エネルギーを重畳させ、被照射部位へ伝搬させる電源とを含むことを特徴とする。
【００１２】
また、本発明の量子ＬＥＤ光線治療器は、前記半導体発光素子はＬＥＤであり、前記の光源から成ることを特徴とする。
【００１３】
さらにまた、本発明の量子エネルギーの伝送方法は、光を放射する半導体発光素子に量子を予め定める周期で照射して量子情報を記憶させておき、前記半導体発光素子に通電することで発光させ、それによる放射光に、記憶されている前記量子情報に基づく量子エネルギーを重畳させ、被照射部位へ伝搬させることを特徴とする。
【００１４】
上記の構成によれば、量子エネルギーを患部などの被照射部位へ照射して治療などを行うにあたって、本件発明者は、その量子エネルギーの伝送手段に光を使用可能なことを発見し、治療器に使用する光源を開発した。ここで、光源には、様々な物が存在するが、同じ光を発する素子でも、上述のように光を量子エネルギーのキャリアとして用いる場合は、白熱電球や蛍光灯には量子が蓄積されず、ＬＥＤや半導体レーザなどの半導体発光素子でないと効果の無いことが、本件発明者の実験によって確認されている。
【００１５】
そこで、前記光源としては、量子を予め定める周期で照射されることで、量子情報を記憶しているＬＥＤなどの半導体発光素子と、その半導体発光素子に通電する電源とを備えて構成する。そして、通電が行われると、半導体発光素子から放射される光をキャリアとして、該光に、記憶されている前記量子情報に基づく量子エネルギーが重畳され、被照射部位へ伝搬される。
【００１６】
前記量子情報の記憶は、具体的に、光子、電子、クウォーク、ニュートリノ等の量子を予め定める周期で照射することで行うことができる。その量子の照射は、前記予め定める周期で変動する電位や電場中に半導体発光素子を所定時間放置することで行うことができる。前記所定時間は、２〜３分以上、好ましくは、４〜５分以上である。前記変動電位や電場中では、たとえばクウォークが発生し易く（多く発生し）、ニュートリノは発生の可能性が考えられる。
【００１７】
したがって、前記半導体発光素子から放射された量子エネルギーを生物が浴びた時、組織を活性化し、具体的には原子の電子配列が影響を受け（素材原子の外殻電子軌道に変動を生じさせ、それによる陽子の振動によって量子波を発生させ）、たとえば動物の血行を促進したり、患部の治癒効果を高めたりすることができる。
【００１８】
しかも、前記予め定める周期に応じて、対象とする症状を、異ならせることができる。また、半導体発光素子を量子化するだけであるので、治療器自体を量子化するのに比べて極めて容易である。さらにまた、光であるので、ファイバを通して搬送することもでき、腹腔鏡や内視鏡に搭載して、体内から、術後の回復を早めたり、腫瘍の成長を抑えたりすることができる。また、量子は骨を通り難いので、光ファイバを用いることで、特に頭蓋内の治療に効果的である。こうして、量子エネルギーによる治療などを行うにあたって、光を伝送手段として用いることで、量子エネルギーを多様な形で伝送することができる。
【００１９】
また、本発明の半導体発光素子を用いた光源では、前記予め定める周期は、２〜２０００Ｈｚ、好ましくは３〜１００Ｈｚであることを特徴とする。
【００２０】
上記の構成によれば、人の血行改善効果を得ることができ、肩凝りやむくみが解消したり、傷口が早く治ったりするようになる。
【００２１】
さらにまた、本発明の半導体発光素子を用いた光源では、前記電源は、前記半導体発光素子を、３〜６Ｈｚの周期で点滅させることを特徴とする。
【００２２】
本件発明者の実験結果によれば、光源を点滅させて、点滅周期を３〜６Ｈｚとすると、血行改善効果を特に高くすることができる。
【００２３】
また、本発明の半導体発光素子を用いた光源では、前記量子の照射は、前記半導体発光素子を導電板上に搭載し、前記導電板に前記予め定める周期の負の電圧を印加することで行われることを特徴とする。
【００２４】
上記の構成によれば、半導体発光素子の量子化を、該半導体発光素子を導電板上に搭載し、前記導電板に前記予め定める周期の負の電圧を印加して、負の電位や電場を印加することで行う。こうして、導電板に発生した光子、電子、クウォーク、ニュートリノ等の量子が半導体発光素子の素材原子に作用し、量子情報を記憶させることができる。そして、与える電圧を負の電圧とすることで、量子エネルギーを増加することができる。
【００２５】
さらにまた、本発明の量子ＬＥＤ光線治療器では、前記半導体発光素子がＬＥＤである前記の光源から成ることを特徴とする。
【００２６】
上記の構成によれば、ＬＥＤを用いて、極めて容易に、量子治療器を実現することができる。
【００２７】
また、本発明の量子ＬＥＤ光線治療器では、懐中電灯形に形成されることを特徴とする。
【００２８】
上記の構成によれば、量子治療器を懐中電灯の形で実現するので、小形で扱い易く、治療が容易である。さらに量子治療器を、たとえばペンライト形にまで小型化することで、口腔内に差込んだりするなど（その場合は、口内炎や歯槽膿漏の治療など）、治療対照部位を増やすこともできる。
【００２９】
さらにまた、本発明の量子ＬＥＤ光線治療器では、密閉可能な球体、または鉛直断面が六角形のドームを備え、前記半導体発光素子は、該半導体発光素子からの放射光および量子エネルギーを前記ドーム内へ入射するように、前記ドームに取付けられ、前記ドームの少なくとも内面は、前記半導体発光素子からの放射光および量子エネルギーを反射する材料から成ることを特徴とする。
【００３０】
上記の構成によれば、前記のドームは、光学測定で用いられる積分球のように機能する。したがって、このドームを大型化することで、患者が内部に入って、全身に均等に量子エネルギーを照射して、治療を行うことができる。
【発明の効果】
【００３１】
本発明の半導体発光素子を用いた光源およびそれを用いる量子ＬＥＤ光線治療器ならびに量子エネルギーの伝送方法は、以上のように、量子エネルギーを患部などの被照射部位へ照射して治療などを行うにあたって、その量子エネルギーの伝送手段に、ＬＥＤなどの半導体発光素子で発生される光を用いるようにし、該半導体発光素子に量子を予め定める周期で照射することで量子情報を記憶させておく。
【００３２】
それゆえ、光に重畳された量子エネルギーを生物が浴びた時、組織を活性化し、たとえば動物の血行を促進したり、患部の治癒効果を高めたりすることができる。しかも、前記予め定める周期に応じて、対象とする症状を、異ならせることができる。また、半導体発光素子を量子化するだけであるので、治療器自体を量子化するのに比べて、極めて容易である。こうして、量子エネルギーによる治療などを行うにあたって、光を伝送手段として用いることで、量子エネルギーを多様な形で伝搬することができる。
【図面の簡単な説明】
【００３３】
【図１】本発明の実施の一形態に係る量子ＬＥＤ光線治療器の斜視図である。
【図２】図１で示す量子ＬＥＤ光線治療器を正面側から見た斜視図である。
【図３】図１で示す量子ＬＥＤ光線治療器の使用状態を模式的に示す図である。
【図４】図１で示す量子ＬＥＤ光線治療器の電気的構成を示すブロック図である。
【図５】ＬＥＤへの量子情報の照射方法を模式的に示す図である。
【図６】ＬＥＤへの量子情報の照射方法を模式的に示す波形図である。
【図７】本発明の実施の他の形態に係る量子ＬＥＤ光線治療器の使用例を模式的に示す図である。
【発明を実施するための形態】
【００３４】
（実施の形態１）
図１は、本発明の実施の一形態に係る量子ＬＥＤ光線治療器１の斜視図である。本実施形態の量子ＬＥＤ光線治療器１は、所謂ＬＥＤペンライト、すなわち万年筆の形をした小型の懐中電灯として実現される。
【００３５】
図２はその量子ＬＥＤ光線治療器１を正面側から見た斜視図であり、図３はその量子ＬＥＤ光線治療器１の使用状態を模式的に示す図であり、図４はその量子ＬＥＤ光線治療器１の電気的構成を示すブロック図である。図２および図３で拡大して示すように、この量子ＬＥＤ光線治療器１は、前記小型の懐中電灯であるので、円筒形状をした筐体１１の一端１１１側が開口してレンズ１２が嵌め込まれ、そのレンズ１２の内方に半球状の反射鏡１３が設けられ、反射鏡１３の頂部にＬＥＤ２が設けられて、該量子ＬＥＤ光線治療器１が構成されている。
【００３６】
筐体１１の一端１１１側を回転させることで、レンズ１２が前記円筒の軸方向に進退する。これによって、該量子ＬＥＤ光線治療器１では、図１で示すようにＬＥＤ２からの放射光３の拡がり角を、参照符号３ｔで示す狭角から、参照符号３ｗで示す広角の間で調整することが可能となっている。該量子ＬＥＤ光線治療器１は、白色光を発するもので、ＬＥＤ２は、たとえば青色光を放射する。そのため、ＬＥＤ２上には、黄色の蛍光体が塗布されており、消灯時に該量子ＬＥＤ光線治療器１を正面側から見た場合、この蛍光体が見えることになる。
【００３７】
筐体１１の他端１１２側には、帽状の蓋１６が螺着されており、この蓋１６を回転することで該蓋１６が筐体１１から脱着可能となり、図４で示す内部の電池１５が交換可能になる。蓋１６の底部は、可撓性のカバー１６１で覆われ、その内部に、スイッチ１７が設けられている。スイッチ１７は、たとえば押し込まれる毎に接点が切替わるスイッチであり、図４で示すように、ＯＦＦの個別接点１７１、常時点灯の個別接点１７２、点滅の個別接点１７３を備えている。点滅の個別接点１７３からＬＥＤ２の間には、所定周期でＬＥＤ２を点滅させる点滅回路１８が介在されている。
【００３８】
上述のように、ＬＥＤペンライトの態様に形成される本実施形態の量子ＬＥＤ光線治療器１において、注目すべきは、ＬＥＤ２には、量子が予め定める周期で照射されることで、量子情報２１を記憶していることである。そのため、スイッチ１７をＯＮして、電池１５からＬＥＤ２に通電を行うことで、図１、図３および図４でイメージを示すように、該ＬＥＤ２から放射される光３に、記憶されている量子情報２１に基づく量子エネルギー２２を重畳させ、被照射部位４（図３参照）へ伝搬させることができる。
【００３９】
ここで、光源には、様々な物が存在するが、このように光３を量子エネルギー２２のキャリアとして用いるにあたって、同じ光を発する素子でも、白熱電球や蛍光灯には量子が蓄積されず、ＬＥＤや半導体レーザなどの半導体発光素子でないと効果の無いことが、本件発明者の実験によって確認されている。また、ＬＥＤは、発光効率も高く、電池を接続するだけで点灯するので、回路も簡略化でき、極めて容易に、量子治療器を実現することができる。
【００４０】
図１、図３および図４では、光３は、前記ＬＥＤ２によるインコヒーレントな光で示している（分かり易くするために、周波数および位相が同じで偏波面が９０度異なる波で示している）。しかしながら、半導体発光素子として半導体レーザが用いられて、コヒーレントな光が放射されるようにしてもよい。レーザの場合、光３の到達距離を伸ばすことができる。光３には、可視光に限らず、目に見えない遠赤外線を用いることも可能である。その場合、遠赤外線による更なる血行の促進効果なども期待できる。
【００４１】
また、たとえば電池１５は単三乾電池２本で、ＬＥＤ２は数Ｗ程度の光３しか放射しないが、たとえば前記拡がり角が３ｔである場合、十数ｍの被照射部位４を照射することが可能である。光３に紫外線を含んでいない場合は、目に当った場合、より優しい。
【００４２】
図５は、ＬＥＤ２への量子情報２１の照射方法を模式的に示す図である。図５（ａ）で示すように、量子情報２１の照射は、ＬＥＤ２を導電板５上に載置し、その導電板５に予め定める周期の負の電圧を印加することで行うことができる。そうすることで、ＬＥＤ２に負の電位や電場が所定時間印加され、導電板５から発生した量子をＬＥＤ２に蓄積することができる。導電板５は、図５（ｂ）で示す印加回路７や、図５（ｃ）で示す印加回路８からの負の電圧が印加されることで、前記電位や電場を発生する。導電板５は、図５（ａ）で示すように、たとえばＭΩ以上の高抵抗６を介して接地されていてもよい。
【００４３】
印加回路７は、交流電源７１の一方の端子に接続されるダイオード７２および抵抗７３の直列回路と、他方の端子に接続されるダイオード７４および抵抗７５の直列回路とを備えて構成される。ダイオード７２，７４のカソードが交流電源７１に接続され、アノードが抵抗７３，７５の一端に接続される。これによって、抵抗７３，７５の他端から取出された図６（ａ）で示すような前記負で半波の電圧が、導電板５に印加される。交流電源７１は、単相２線の場合、１線は柱上変圧器内などで接地されており、この印加回路７は、２線の何れがホット側か不明な場合に、確実に負の電圧を取出すことができるようになっている。
【００４４】
また、印加回路８は、ダイオード８２〜８５から成るダイオードブリッジで構成される。交流電源８１の一方の端子にはダイオード８２のカソードおよびダイオード８４のアノードが接続され、他方の端子にはダイオード８３のカソードおよびダイオード８５のアノードが接続され、ダイオード８４，８５のカソードが接地される。これによって、ダイオード８２，８３のアノードから取出された図６（ｂ）で示すような前記負で全波の電圧が、導電板５に印加される。
【００４５】
交流電源７１，８１は、２〜２０００Ｈｚ、好ましくは３〜１００Ｈｚの電圧を印加する。交流電源７１，８１が商用電源である場合、５０または６０Ｈｚで、たとえば１００Ｖ（実効値）の電圧が、導電板５に印加されることになる。なお、本実施形態で交流電源７１，８１を使用しているのは、回路が簡単であるためで、周期的な負の電圧としては、三角波、矩形波或いはパルス波などであってもよい。
【００４６】
このように導電板５に周期的な負の脈動電圧を印加することで、ＬＥＤ２には、光子、電子、クウォーク、ニュートリノ等、１７種の量子の内の何れかが照射される（中でも、クウォークが発生し易く（多く発生し）、ニュートリノは発生の可能性が考えられる）ことになり、所定時間、具体的には２〜３分以上、好ましくは、４〜５分以上照射されることで、該ＬＥＤ２には量子情報２１が記憶される。そして、その量子情報２１を記憶したＬＥＤ２に電池１５から通電すると、該ＬＥＤ２から量子エネルギー２２が放射されることになる。
【００４７】
したがって、その放射された量子エネルギー２２を生物が浴びた時、組織を活性化することができる。具体的には、原子の電子配列が影響を受け（素材原子の外殻電子軌道に変動を生じさせ、それによる陽子の振動によって量子波を発生させ）、たとえば動物の血行を促進したり、患部の治癒効果を高めたりすることができる。しかも、前記予め定める周期に応じて、対象とする症状を、異ならせることができる。
【００４８】
さらに、該量子ＬＥＤ光線治療器１を懐中電灯の形で実現することで、小形で扱い易く、治療が容易である。図３の例では、量子エネルギー２２の被照射部位４は、使用者の口腔としている。その場合、治療対象や予防の病名としては、たとえば口内炎や歯槽膿漏などである。また、歯のエナメル質の強化などにも使用することができる。特にペンライトの形状まで小型化することで、該量子ＬＥＤ光線治療器１を口腔内に差込んだりするなど、治療対照部位を増やすこともできる。
【００４９】
このように量子エネルギーを患部などの被照射部位４へ照射して治療などを行うにあたって、その量子エネルギーの伝送手段に光３を使用することで、量子エネルギー２２を多様な形で（遠く、込み入った場所にまで）伝送することができる。また、ＬＥＤ２を量子化するだけであるので、該量子ＬＥＤ光線治療器１自体を量子化するのに比べて極めて容易である。
【００５０】
また、前記予め定める周期を、２〜２０００Ｈｚ、好ましくは３〜１００Ｈｚとすることで、本件発明者の実験結果によれば、人の血行改善効果を得ることができ、肩凝りやむくみが解消したり、傷口が早く治ったりするようになる。
【００５１】
また、本実施形態の量子ＬＥＤ光線治療器１では、スイッチ１７が個別接点１７３に切替えられると、点滅回路１８が、ＬＥＤ２を、３〜６Ｈｚの周期で点滅させる。こうして間欠的に放射された光３を、図１では、参照符号３１，３２，３３，・・・で示している。その点滅でも、本件発明者の実験結果によれば、点滅周期を３〜６Ｈｚとすると、血行改善効果が特に高くなる。
【００５２】
以下に、本件発明者の治験結果を示す。上述の量子ＬＥＤ光線治療器１を使用して、先ず医師１による治験結果を示す。治験は、図３で示すような口腔領域での使用結果であり  患部に直接照射している。ＬＥＤ２は２Ｗ、点滅回路１８は、そのＬＥＤ２を３Ｈｚで点滅させている。
【００５３】
６８才女性  右側顎関節症で痛みとクリック音
治療１回目  ２分照射  痛み消失、クリック音は変化無し。
治療２回目  少し痛みが戻っている状態で３分照射すると、痛みは消失、クリック音は少し残るだけに軽減。２週間後、クリック音も消失。
５７才男性  左側顎関節症で痛みと開口障害（一横指）
治療１回目  ２０分照射  痛み消失、開口三横指以上に、１回で治癒。
６２才男性  左上１番急性化膿性根尖性歯周炎で歯根部圧痛（抗生剤服用中）
治療１回目  １分照射  痛み消失、その後痛み無し。
４３才女性  右下３番根充後の打診痛、咬合痛
治療１回目  １分照射  痛み消失。
６０才男性  右下３番急性歯周炎・慢性辺縁性歯周炎の急性発作歯肉膿瘍で頬部からの圧痛
治療１回目  ２分照射  圧痛消失。
８才女性  舌下粘液嚢胞
週１回レーザ照射と併用で３週間経過、縮小は見られるが消失はせず。
その後、週１回３分照射を３週間経過、嚢胞は摘出無しで消失。
３２才女性  右下４８番の親知らずの智歯周囲炎
治療１回目  ２分照射で咬合痛、自発痛（ズキズキ）の痛みが和らぐ。１５分後に３分再照射で痛み消失。
治療２回目  少し痛みが残っていたところ、３分照射で痛みが消失、以後、痛み、腫脹等無く推移。
【００５４】
次に、上述の量子ＬＥＤ光線治療器１を使用して、医師２による治験結果を示す。同様に、ＬＥＤ２は２Ｗ、点滅は３Ｈｚである。治験は、膝に直接照射して行われている。患者は、７３才の男性で、１年前から歩くと膝が痛み、特に階段を降りるときに症状が酷く、また深くしゃがむことができないというものであった。週に１回の治療で、３回で完治（痛みが無くなり）、正座もできるようになった。
【００５５】
この医師２による治験結果としては、患者が、ペットの腫瘍に対して、量子ＬＥＤ光線治療器１を購入し、照射を続けた例も報告されている。それによれば、犬の前脚の付け根に、拳大の腫瘍ができ、歩行ができなくなり、動物病院でも手当の方法が無かったところ、５〜１０分、毎日照射した結果、腫瘍は１ヶ月で小さくなり、痛みが無くなったのか、おとなしくしなくなったと言うことである。
【００５６】
以上のように、本発明の量子ＬＥＤ光線治療器１は、悪性も含めて、腫れを抑えるのに著しい効果が認められる。他にも、食器や飲料などに混有しているヒ素や、アマルガムに含まれる水銀の無害化にも効果があるものと推察される。
（実施の形態２）
図７は、本発明の実施の他の形態に係る量子ＬＥＤ光線治療器１００の使用例を模式的に示す図である。本実施形態の量子ＬＥＤ光線治療器１００は、人（患者）１０４が入ることのできるドーム１０１に、光源１０２を備えて構成される。光源１０２は、前記量子情報２１を記憶したＬＥＤランプに、電源回路を備えて構成される。ＬＥＤランプとしては、数十Ｗ程度である。
【００５７】
ドーム１０１は、球体や、鉛直断面が六角形のドームである（図７は六角形）。そのドーム１０１内に、前記ＬＥＤランプからの放射光３および量子エネルギー２２が入射するように、光源１０２が設置される。図７の例では、光源１０２は、ドーム１０１の天井に設置され、その下方で、人（患者）１０４の上部には、前記ＬＥＤランプからの放射光３および量子エネルギー２２の直達光を反射し、ドーム１０１の内壁面に拡散させる反射板１０５が配置されている。
【００５８】
前記ドーム１０１は、たとえば外側の金属筐体に、内側のＡＢＳパネルが貼付けられて構成される。その内側のＡＢＳパネルのＡＢＳ樹脂に、量子波を反射する半導体パウダーを、５％練り込むことで、前記ＬＥＤランプからの放射光３および量子エネルギー２２を反射することができるドーム１０１を形成することができる。したがって、ドーム１０１は、光学測定で用いられる積分球のように機能する。そして、該ドーム１０１を大型化することで、この図７で模式的に示すように、人（患者）１０４が内部に入って、全身に均等に量子エネルギーを照射して、治療を行うことができる。
【００５９】
なお、光子、電子、クウォーク、ニュートリノ等の量子をＬＥＤ２に照射するにあたって、導電板５には正または負の何れの電圧を与えてもよいが、本件発明者の実験によれば、正の電圧を与える場合、すなわち図５におけるダイオード７２，７４；８２〜８５の極性を反対にした場合、ＬＥＤ２に与えられる量子情報２１が、負の電圧を与えた場合よりも減少している。そのため、図５および図６で示すように、負の電圧を与えることが、極めて効率的である。
【００６０】
また、量子エネルギー２２の伝送手段として、光３を用いるので、光３はファイバを通して搬送することもでき、腹腔鏡や内視鏡に搭載して、体内から、術後の回復を早めたり、腫瘍の成長を抑えたりすることができる。また、量子は骨を通り難いので、光ファイバを用いることで、特に頭蓋内の治療に効果的である。
【符号の説明】
【００６１】
１    ＬＥＤ光線治療器
２    ＬＥＤ
１１    筐体
１２    レンズ
１３    反射鏡
１５    電池
１７    スイッチ
１８    点滅回路
２１    量子情報
２２    量子エネルギー
３；３１，３２，３３    光
４    被照射部位
５    導電板
６    高抵抗
７    印加回路
７１    交流電源
７２，７４    ダイオード
７３，７５    抵抗
８１    交流電源
８２〜８５    ダイオード
１００  ＬＥＤ光線治療器
１０１  ドーム
１０２  光源
１０４  人（患者）
１０５  反射板
【図１】
2017023711.tif 000003
【図２】
2017023711.tif 000004
【図３】
2017023711.tif 000005
【図４】
2017023711.tif 000006
【図５】
2017023711.tif 000007
【図６】
2017023711.tif 000008
【図７】
2017023711.tif 000009